(57)【要約】【課題】遊技盤の無駄な破棄を防止する。【解決手段】ハンドツール４９が固着具１０を支持したら、固着具検出器５６が固着具１０の有無を検出した信号を制御装置５７に出力し、制御装置５７は複数の固着具検出器５６のうちの１つからでも固着具１０の無いことを検出した信号が入力されればバンド取付動作つまりハート・バンド取付装置の動作を停止し、二次成形機構５２に上昇・停止を指示し、二次成形機構５２が上昇限度位置に停止したら、作業者は二次成形機構５２から外バンド８を取り外し、制御装置５７の操作パネルにおける外バンド取り外しに伴う再始動スイッチをオン操作し、オン操作に伴い、制御装置５７は二次成形機構５２にステップ１０１からステップ１０３までの工程を行うように指示する。【選択図】　　　　図１
2004081351.tif 000002
【特許請求の範囲】
【請求項１】
遊技盤に遊技領域を形成する帯状のバンド本体に複数の固着具を備えたバンドを取り付ける遊技機製造設備のバンド取付装置において、バンドが遊技盤に取り付けられるまでの間に、全部の固着具がバンド本体に設けられているか否かを検出し、固着具が１本でも欠損していれば、バンド取付装置の動作を停止することを特徴とする遊技機製造設備のバンド取付方法。
【請求項２】
遊技盤に遊技領域を形成する帯状のバンド本体に複数の固着具を備えたバンドを取り付ける遊技機製造設備のバンド取付装置において、複数の固着具の有無を検出するとともに固着具と対応する数の固着具検出器と、複数の固着具検出器のうちの１つからでも固着具の無いことの検出信号が有ればバンド取付動作を停止する制御装置とを備えたことを特徴とする遊技機製造設備のバンド取付装置。
【発明の詳細な説明】
【０００１】
【発明の属する技術分野】
本発明は、パチンコ機のような球を遊技媒体として使用する遊技機を製造する設備において、遊技盤に球の流れる遊技領域を形成する帯状のバンドを取り付ける装置に関する。
【０００２】
【従来の技術】
図４は特開平６−３４３７３９号公報で開示されたバンド取付装置を示し、バンド供給装置１５４におけるバンド１５１の搭載されたバンドパレット１５２からバンド１５１を１本ずつ取り出してバンド成形装置１５５に供給し、バンド成形装置１５５でバンド１５１を所定の弧状に成形した後にバンド１５１に設けられた図外の固着具を遊技盤搬送装置１５６に搭載された遊技盤１５３の意匠盤面から内部に圧入して、バンド１５１を遊技盤１５３に取り付けるようになっている。
【０００３】
【発明が解決しようとする課題】
しかしながら、前記従来例は上記公報の図７のｂ図に示すように、バンドの帯状のバンド本体の下縁部に取り付けられた割ピンのような複数の固着具を遊技盤１５３に形成されたバンド取付用下孔に挿入することで、バンド１５１を遊技盤１５３に取り付ける構造であるので、バンド供給装置１５４から遊技盤１５３に取り付けられる過程におけるバンド１５１から固着具が１本でも欠損している状態において、当該バンドを遊技盤に取り付けた場合には、残存する固着具が遊技盤のバンド取付用下孔に挿入されてしまい、当該残存する固着具の挿入でバンド取付用下孔が大きくなってしまう。その後、固着具の欠損されたバンドを遊技盤から取り外し、当該遊技盤に固着具が全部付いている良品のバンドを取り付けたとして、前回のバンド取付でバンド取付用下孔が大きくなった部分が固着具を適切に支持することができず、品質信頼性が悪くなることから、上記残存する固着具でバンド取付用下孔の大きくなった遊技盤を破棄しなければならいという問題点があった。
【０００４】
そこで、本発明は必要数の固着具がバンド本体に設けられているか否かを検出して、遊技盤の無駄な破棄を防止することができるバンド取付方法および装置を提供するものである。
【０００５】
【課題を解決するための手段】
本発明の遊技機製造設備のバンド取付方法は、遊技盤に遊技領域を形成する帯状のバンド本体に複数の固着具を備えたバンドを取り付ける遊技機製造設備のバンド取付装置において、バンドが遊技盤に取り付けられるまでの間に、全部の固着具がバンド本体に設けられているか否かを検出し、固着具が１本でも欠損していれば、バンド取付装置の動作を停止することによって、固着具の欠損したバンドを適切な固着具の有るバンドに交換することで、遊技盤の無駄な破棄を防止することができる。本発明の遊技機製造設備のバンド取付装置は、遊技盤に遊技領域を形成する帯状のバンド本体に複数の固着具を備えたバンドを取り付ける遊技機製造設備のバンド取付装置において、複数の固着具の有無を検出するとともに固着具と対応する数の固着具検出器と、複数の固着具検出器のうちの１つからでも固着具の無いことの検出信号が有ればバンド取付動作を停止する制御装置とを備えたことによって、バンド取付動作が停止したら、作業者が固着具の欠損したバンドを適切な固着具の有るバンドに交換することで、遊技盤の無駄な破棄を防止することができる。
【０００６】
【発明の実施の形態】
図１から図３はバンド取付装置として外バンド８、内バンド１２、ハート１６を取り付けるハート・バンド取付装置を例示した一実施形態であって、図１はハート・バンド取付装置の要部の平面を模式的に示し、図２はハート・バンド取付装置の平面を模式的に示し、図３はハート・バンド取付装置の正面を模式的に示す。
【０００７】
図１を参照し、ハート・バンド取付装置における本実施形態の要部について外バンド８が外バンド供給装置２２から外バンド成形装置２３を経由して外バンド挿入装置２４で遊技盤搬送装置２１における外バンド挿入エリア３２で停止中の遊技盤１に取り付けられる工程を例として詳述する。外バンド成形装置２３は一次成形機構５１と二次成形機構５２とを備える。一次成形機構５１は外バンド供給装置２２から受け取った外バンド８のバンド本体９を少し曲げる予備成形を行い、二次成形機構５２は一次成形機構５１から受け取った外バンド８のバンド本体９を遊技盤１に取り付ける弧状に曲げる本成形を行う。
【０００８】
具体的には、ステップ１０１において、一次成形機構５１のハンドツール５３が外バンド供給装置２２のバンド取出機構４８でバンドパレット７４から取り出された外バンド８に対し上方から下降してバンド本体９をバンド本体９の板厚方向両側から挟む格好で支持した後に上昇して停止する。その後、一次成形機構５１が矢印Ｘ１１で示す横方向に移動して仮想線で示すように二次成形機構５２の真上で停止する。このように一次成形機構５１が外バンド供給装置２２から外バンド８を受け取って二次成形機構５２の真上に停止するまでの過程において、ハンドツール５３がバンド本体９の両端部を支持したまま互いに近づく方向に移動することによって外バンド８を符号８Ａで示す供給形態から符号８Ｂで示す一次成形形態（予備成形形態）に少し曲げる。
【０００９】
そして、仮想線で示す一次成形機構５１のハンドツール５３が予備成形されたバンド本体９の上部を支持している状態において、二次成形機構５２のハンドツール５４がバンド本体９の下部を板厚方向両側から挟む格好で支持する。二次成形機構５２のハンドツール５４がバンド本体９を支持したら、一次成形機構５１のハンドツール５３がバンド本体９の支持を解放する。この一次成形機構５１から二次成形機構５２への外バンド８の受け渡しに際しては、一次成形機構５１と二次成形機構５２とのいずれかが下降または上昇してもよいが、一次成形機構５１が下降し、二次成形機構５２が上昇するというように、一次成形機構５１と二次成形機構５２との双方が矢印Ｘ１２で示すように互いに近づく方向に昇降を行えば、受け渡しに対する移動時間が少なくなる。
【００１０】
次に、ステップ１０２において、一次成形機構５１から外バンド８を受け取った二次成形機構５２は矢印Ｘ１３で示すように遊技盤搬送装置２１の外バンド挿入エリア３２の方向に移動して遊技盤搬送装置２１の側部に停止する。このように二次成形機構５２が一次成形機構５１から外バンド８を受け取って遊技盤搬送装置２１の側部に停止するまでの過程において、ハンドツール５４がバンド本体９を多点支持したままステップ１０１の符号８Ｂで示す一次成形形態から符号８Ｃで示す二次成形形態（本成形形態）に曲げる。また、二次成形機構５２の停止と合うように、外バンド挿入装置２４が外バンド挿入エリア３２の真上から矢印Ｘ１４で示す横方向に移動し二次成形機構５２の真上に停止する。
【００１１】
引き続き、ステップ１０３において、二次成形機構５２のハンドツール５４が本成形されたバンド本体９の下部を支持している状態において、外バンド挿入装置２４のハンドツール４９がバンド本体９の上方からバンド本体９の板厚方向両側を経由して固着具１０の上部を挟む格好で支持する。外バンド挿入装置２４のハンドツール４９が固着具１０を支持したら、二次成形機構５２のハンドツール５４がバンド本体９の支持を解放する。この二次成形機構５２から外バンド挿入装置２４への外バンド８の受け渡しに際しては、二次成形機構５２と外バンド挿入装置２４とのいずれかが下降または上昇してもよいが、二次成形機構５２が下降し、外バンド挿入装置２４が上昇するというように、二次成形機構５２と外バンド挿入装置２４との双方が互いに近づく方向に昇降を行えば、受け渡しに対する移動時間が少なくなる。
【００１２】
ハンドツール４９が固着具１０を支持したら、二次成形機構５２に固着具１０と対応する数だけ設けられた光を利用した非接触形の固着具検出器５６が固着具１０の有無を検出した信号を制御装置５７に出力する。制御装置５７は複数の固着具検出器５６のうちの１つからでも固着具１０の無いことを検出した信号が入力されればバンド取付動作つまりハート・バンド取付装置の動作を停止し、複数の固着具検出器５６のうちの全部から固着具１０の有ることを検出した信号が入力されればバンド取付動作つまりハート・バンド取付装置の動作を継続させる。複数の固着具検出器５６のうちの少なくとも１つが固着具１０の無いこと検出し、バンド取付動作が停止する場合、制御装置５７は二次成形機構５２に上昇・停止を指示し、二次成形機構５２が上昇限度位置に停止したら、作業者は二次成形機構５２から外バンド８を取り外し、制御装置５７の操作パネルにおける外バンド取り外しに伴う再始動スイッチをオン操作する。このオン操作に伴い、制御装置５７は二次成形機構５２にステップ１０１からステップ１０３までの工程を行うように指示する。
【００１３】
そして、二次成形機構５２から外バンド挿入装置２４への外バンド８の受け渡しが終了した後、外バンド挿入装置２４が矢印Ｘ１５で示すように上昇した後に外バンド挿入エリア３２に向けて横移動して外バンド挿入エリア３２の真上に停止する。この外バンド挿入装置２４が外バンド８を二次成形機構５２から受け取って外バンド挿入エリア３２の真上に停止するまでの間に、遊技盤１が外バンド挿入エリア３２に搬送されてきて停止した後に遊技盤搬送装置２１の下方から遊技盤搬送装置２１よりも上方に上昇する遊技盤リフト４４に支持される。遊技盤１が遊技盤搬送装置２１より浮上した上昇限度位置で、遊技盤リフト４４は停止する。
【００１４】
さらに、ステップ１０４において、外バンド挿入装置２４が外バンド挿入エリア３２に向けて下降して固着具１０の先端部を遊技盤１のバンド取付用下孔５に挿入し、ハンドツール４９が固着具１０の支持を解放した後、外バンド挿入装置２４が上昇する。
【００１５】
図２および図３を参照し、ハート・バンド取付装置について説明する。図２の左上に示すように、ハート・バンド取付装置に供給される遊技盤１はベニヤ板のような合板からなる方形状の遊技基板の一表面に図柄の印刷された合成樹脂からなる化粧シートを接合した意匠盤面を有する一方、基準孔２、部品逃孔３、アウト口４、バンド取付用下孔５；６が形成された形態になっている。基準孔２は遊技盤１をハート・バンド取付装置に位置決め固定するための加工基準として使用する孔であって、遊技盤１の１つの対角線の方向に位置する２つの隅部に設けられる。部品逃孔３は入賞部品、飾り部品、照明表示部品などの部品を遊技盤１に取り付ける場合に当該部品の裏側を逃げる孔である。アウト口４はアウト球を遊技盤１の意匠盤面の遊技領域から遊技盤１の裏側に排出する孔であって、ハート１６で縁取りされる。バンド取付用下孔５；６は外バンド８やハート１６および内バンド１２を取り付ける孔である。部品逃孔３、アウト口４、バンド取付用下孔５；６は基準孔２を基準とした位置に形成される。また、図示は省略したが、遊技盤１には上記部品を遊技盤１に取り付けるための木ねじのような図外の固着具を案内する部品取付用下孔が形成されていたり、多数の遊技釘（障害釘と呼ばれることもある）や風車も取り付けられていたりする場合もある。
【００１６】
図２の左下に示すように、ハート・バンド取付装置に供給される外バンド８は帯状のバンド本体９と固着具１０とカール部１１とを備える。固着具１０はバンド本体９の長縁下部に取り付けられた割ピンのような形状である。カール部１１は外バンド８を遊技盤１に位置決め固定するバンド釘を挿入するためにバンド本体９の長手方向の一端部に設けられる。図２の右下に示すように、内バンド１２は帯状のバンド本体１３と固着具１４とアウト球案内溝１５とを備える。固着具１４はバンド本体１３の長縁下部に取り付けられた割ピンのような形状である。アウト球案内溝１５はアウト球をアウト口４に案内する溝であって、バンド本体１３の中間部を屈曲した形態である。アウト球案内溝１５の両側に位置する固着具１４はハート１６を遊技盤１に共締めする。図２の中間下に示すように、ハート・バンド取付装置に供給されるハート１６はアウト口４を縁取りするものであって、貫通孔１７と取付孔１８とを備える。貫通孔１７はアウト球を遊技盤１の意匠盤面の方向からアウト口４に通過させる孔である。取付孔１８は内バンド１２の固着具１４を挿入する孔である。
【００１７】
ハート・バンド取付装置は遊技盤搬送装置２１、外バンド供給装置２２、外バンド成形装置２３、外バンド挿入装置２４、ハート供給装置２５、ハート挿入装置２６、内バンド供給装置２７、内バンド成形装置２８、内バンド挿入装置２９、バンドプレス装置３０を備える。そして、外バンド供給装置２２に多数本の外バンド８の搭載されたバンドパレット７４を供給し、ハート供給装置２５に多数本のハート１６の搭載されたハートパレット１１５を供給し、内バンド供給装置２７に多数本の内バンド１２の搭載されたバンドパレット７４を供給した状態において、図２の左上に示す遊技盤１が遊技盤搬送装置２１で搬入エリア３１から外バンド挿入エリア３２、緩衝エリア３３、ハート・内バンド挿入エリア３４、バンドプレスエリア３５を順に経由して搬出エリア３６に到達するまでの間において、外バンド挿入エリア３２では外バンド供給装置２２から外バンド成形装置２３を経由して外バンド挿入装置２４に受け取られた外バンド８が搬入され、当該外バンド８の固着具１０が外バンド挿入エリア３２に位置決めしつつ取り込まれた遊技盤１のバンド取付用下孔５に挿入されて遊技盤１に抜けないように仮固定される。図３の符号６９；７０はバンドパレット７４を積み込んだ台車を外バンド供給装置２２または内バンド供給装置２７に搬入する場合に台車を位置決めする部材である。
【００１８】
具体的には、遊技盤搬送装置２１の相対峙する一対のチェーンコンベヤーのような無端状の搬送体３８が一方向に循環するように回転駆動して搬送体３８の上に供給搭載された遊技盤１を一方向（矢印Ｘ１方向）に搬送する。そして、搬入エリア３１では遊技盤ストッパー３９が下降限度位置から上昇して上昇限度位置に停止する過程で搬送体３８よりも上方に突出し、搬送体３８で搬送されてくる遊技盤１の搬送方向（矢印Ｘ１方向）先端面に接触して遊技盤１を搬入エリア３１の内部に停止する。その後、遊技盤１の外バンド挿入エリア３２への供給時期になると、遊技盤ストッパー３９が上昇限度位置から下降して下降限度位置に停止する過程において搬送体３８よりも下方に引っ込み上記遊技盤１との接触を解放すると、遊技盤１が搬送体３８で搬入エリア３１から外バンド挿入エリア３２に搬送される。
【００１９】
外バンド挿入エリア３２では遊技盤ストッパー４０が下降限度位置から上昇して上昇限度位置に停止する過程で搬送体３８よりも上方に突出し、搬送体３８で搬送されてくる遊技盤１の搬送方向先端面に接触して遊技盤１を外バンド挿入エリア３２の内部に停止する。その後、遊技盤リフト４４が下降限度位置から上昇して上昇限度位置に停止する過程で搬送体３８よりも上方に突出し、遊技盤ストッパー４０で停止している遊技盤１を搬送体３８より上方に浮上支持する。その状態において、外バンド供給装置２２から外バンド成形装置２３を経由して外バンド挿入装置２４に受け取られて外バンド挿入エリア３２の真上に待機していた外バンド８が外バンド挿入装置２４の下降動作によって遊技盤リフト４４上の遊技盤１に向けて下降する。バンド本体９は外バンド成形装置２３から外バンド挿入装置２４に受け渡される以前に外バンド成形装置２３で遊技盤１に取り付けられる所定の弧状（図２の右上の遊技盤１に取り付けられた弧状）に曲げ成形される。
【００２０】
外バンド挿入装置２４の下降途中において、外バンド挿入装置２４における図外の位置決めピンが遊技盤１の基準孔２のそれぞれに上方より挿入されて遊技盤１が位置決めされた後に外バンド８の固着具１０の先端部が上記位置決めた遊技盤１のバンド取付用下孔５に挿入されて遊技盤１に抜けないように仮固定される。その後、外バンド挿入装置２４が外バンド８に対する支持を解放するとともに上昇し、位置決めピンが遊技盤１から抜ける一方、上昇した外バンド挿入装置２４が外バンド成形装置２３に次回の外バンド８を受け取りに行く。上記位置決めピンを遊技盤１から抜く場合、外バンド挿入装置２４における図外のプッシャが遊技盤１を押し下げるようにするか、または、位置決めピンを昇降可能に形成すれば、遊技盤１が遊技盤リフト４４から浮き上がることなく遊技盤リフト４４に搭載されたまま、位置決めピンが基準孔２から適切に抜ける。
【００２１】
引き続き、遊技盤リフト４４が上昇限度位置から下降して下降限度位置に停止する過程において搬送体３８よりも下方に引っ込むと、遊技盤１が搬送体３８に搭載される。その後、遊技盤１の緩衝エリア３３への供給時期になると、遊技盤ストッパー４０が上昇限度位置から下降して下降限度位置に停止する過程において搬送体３８よりも下方に引っ込み上記遊技盤１との接触を解放すると、遊技盤１が搬送体３８で外バンド挿入エリア３２から緩衝エリア３３に搬送される。
【００２２】
緩衝エリア３３では遊技盤ストッパー４１が下降限度位置から上昇して上昇限度位置に停止する過程で搬送体３８よりも上方に突出し、搬送体３８で搬送されてくる遊技盤１の搬送方向先端面に接触して遊技盤１を緩衝エリア３３の内部に停止する。その後、遊技盤１のハート・内バンド挿入エリア３４への供給時期になると、遊技盤ストッパー４１が上昇限度位置から下降して下降限度位置に停止する過程において搬送体３８よりも下方に引っ込み上記遊技盤１との接触を解放すると、遊技盤１が搬送体３８で緩衝エリア３３からハート・内バンド挿入エリア３４に搬送される。
【００２３】
ハート・内バンド挿入エリア３４では遊技盤ストッパー４２が下降限度位置から上昇して上昇限度位置に停止する過程で搬送体３８よりも上方に突出し、搬送体３８で搬送されてくる遊技盤１の搬送方向先端面に接触して遊技盤１をハート・内バンド挿入エリア３４の内部に停止する。その後、遊技盤リフト４５が下降限度位置から上昇して上昇限度位置に停止する過程で搬送体３８よりも上方に突出し、遊技盤ストッパー４２で停止している遊技盤１を搬送体３８より上方に浮上支持する。遊技盤１が緩衝エリア３３からハート・内バンド挿入エリア３４に搬送されるまでの間に、ハート１６がハート供給装置２５からハート挿入装置２６に受け取られて緩衝エリア３３を経由してハート・内バンド挿入エリア３４の真上に待機している一方、内バンド１２が内バンド供給装置２７から内バンド成形装置２８を経由して内バンド挿入装置２９に受け取られていてハート１６よりも上方に位置しつつハート・内バンド挿入エリア３４の真上に待機している。バンド本体１３は内バンド成形装置２８から内バンド挿入装置２９に受け渡される以前に内バンド成形装置２８で遊技盤１に取り付けられる所定の弧状（図２の右上の遊技盤１に取り付けられた弧状）に曲げ成形される。
【００２４】
そして、前記遊技盤リフト４５が上昇限度位置に停止すると、ハート１６がハート挿入装置２６の下降動作によって遊技盤リフト４５上の遊技盤１に向けて下降して遊技盤１のアウト口４とハート１６の貫通孔１７とが互いに対応するとともに遊技盤１のアウト口４周りのバンド取付用下孔６とハート１６の取付孔１８とが互いに対応するように位置決めされつつ搭載供給される。その後、ハート挿入装置２６が上昇してハート供給装置２５に次のハート１６を受け取りに行く。これと並行し、内バンド１２が内バンド挿入装置２９の下降動作によって遊技盤リフト４５上の遊技盤１に向けて下降する。
【００２５】
この下降途中において、内バンド挿入装置２９における図外の位置決めピンが遊技盤１の基準孔２のそれぞれに上方より挿入されて遊技盤１が位置決めされた後に内バンド１２の固着具１４の先端部が上記位置決めされた遊技盤１のバンド取付用下孔６に挿入される。この場合、内バンド１２の固着具１４の２本の先端部が遊技盤１に搭載されたハート１６の取付孔１８を経由し遊技盤１のバンド取付用下孔６に挿入されるとともに残る本数の固着具１４の先端部がハート１６と無関係に上記遊技盤１の残るバンド取付用下孔６に挿入されることで、内バンド１２の固着具１４の全本数がハート１６を遊技盤１と内バンド１２のバンド本体１３との間に挟む格好で遊技盤１に抜けないように仮固定される。
【００２６】
その後、内バンド挿入装置２９が内バンド１２に対する支持を解放するとともに上昇し、位置決めピンが遊技盤１から抜ける一方、上昇した内バンド挿入装置２９が内バンド成形装置２８に次回の内バンド１２を受け取りに行く。上記位置決めピンを遊技盤１から抜く場合、内バンド挿入装置２９における図外のプッシャが遊技盤１を押し下げるようにするか、または、位置決めピンを昇降可能に形成すれば、遊技盤１が遊技盤リフト４５から浮き上がることなく遊技盤リフト４５に搭載されたまま、位置決めピンが基準孔２から適切に抜ける。引き続き、遊技盤リフト４５が上昇限度位置から下降して下降限度位置に停止する過程において搬送体３８よりも下方に引っ込むと、遊技盤１が搬送体３８に搭載される。その後、遊技盤１のバンドプレスエリア３５への供給時期になると、遊技盤ストッパー４２が上昇限度位置から下降して下降限度位置に停止する過程において搬送体３８よりも下方に引っ込み上記遊技盤１との接触を解放すると、遊技盤１が搬送体３８でハート・内バンド挿入エリア３４からバンドプレスエリア３５に搬送される。
【００２７】
バンドプレスエリア３５にはバンドプレス装置３０が設けられる。バンドプレス装置３０は相対峙する一対のチェーンコンベヤーのような無端状の搬送体４６を備え、搬送体４６が一方向（矢印Ｘ１方向）に循環するように搬送体３８と同一速度で回転駆動して搬送体４６の上に供給搭載された遊技盤１を一方向に搬送する。搬送体４６は遊技盤搬送装置２１におけるハート・内バンド挿入エリア３４の搬送体３８と搬出エリア３６の搬送体３８とから分割された別体に構成されており、ハート・内バンド挿入エリア３４から遊技盤１を受け取る場合と、遊技盤１を搬出エリア３６に排出する場合とに回転するが、外バンド８および内バンド１２をプレスする間は停止し、電力消費を低減する。
【００２８】
そして、バンドプレス装置３０では搬送体４６がハート・内バンド挿入エリア３４の搬送体３８から遊技盤１を受け取り、遊技盤ストッパー４３が下降限度位置から上昇して上昇限度位置に停止する過程で搬送体４６よりも上方に突出し、搬送体４６で搬送されてくる遊技盤１の搬送方向先端面に接触して遊技盤１をバンドプレスエリア３５の内部に停止する。その後、搬送体４６が回転を停止するとともに下降し、搬送体４６の遊技盤１を搭載して搬送する部分がバンドプレス装置３０のプレス固定台４７よりも下となる下降限度位置で、搬送体４６の下降が停止する。この搬送体４６の下降によって、遊技盤ストッパー４３で受け止められた遊技盤１が搬送体４６から浮上してプレス固定台４７の上に搭載される。
【００２９】
その状態において、バンドプレス装置３０における図外のプレス可動台がプレス固定台４７に向けて下降する。プレス可動台が下降する過程において、プレス可動台に設けられた図外の位置決めピンが遊技盤１の基準孔２のそれぞれに挿入された後に、プレス可動台に設けられた図外のプレスツールが遊技盤１に仮固定された外バンド８の固着具１０の上部および内バンド１２の固着具１４の上部を押し下げて遊技盤１に圧入する。この場合、外バンド８の固着具１０のほぼ全部（固着具１０のバンド本体９と結合している部分は遊技盤１より外側に突出するので、ほぼ全部は当該固着具１０のバンド本体９と結合している部分を除いた部分を意味する）および仮固定された内バンド１２の固着具１４のほぼ全部（固着具１４のバンド本体１３と結合している部分は遊技盤１の意匠盤面から突出するので、ほぼ全部は当該固着具１４のバンド本体１３と結合している部分を除いた部分を意味する）を当該遊技盤１に押し込むように圧入されることで抜けないように完璧に固定される。
【００３０】
これによって、外バンド８の固着具１０と内バンド１２の固着具１４が遊技盤１に完全に固定し、ハート１６が内バンド１２のバンド本体１３と遊技盤１との間に挟まれるとともに、外バンド８のバンド本体９と内バンド１２のバンド本体１３とが遊技盤１の意匠盤面に接触した格好で、意匠盤面から垂直状に立ち上がった格好で、外バンド８と内バンド１２およびハート１６が遊技盤１に取り付けられる。
【００３１】
その後、プレスツールが外バンド８と内バンド１２とに対する支持を解放し、プレス可動台が上昇し、位置決めピンが遊技盤１から抜ける一方、上昇したプレス可動台が上昇限度位置に停止する。これと並行し、遊技盤ストッパー４３が上昇限度位置から下降して下降限度位置に停止して遊技盤１に対する受け止めを解放するとともに、搬送体４６が上昇する。そして、搬送体４６がプレス固定台４７よりも上昇する過程で、搬送体４６が遊技盤１をプレス固定台４７から浮上支持する。そして、搬送体４６の遊技盤１を搬送する部分が搬送体３８の遊技盤１を搬送する部分と同じ高さの上昇限度位置に停止すると、搬送体４６が一方向に回転駆動する。これによって、図２の右上に示すような外バンド８、内バンド１２、ハート１６の取り付けられた遊技盤１が搬送体４６から搬送体３８に乗り移り、バンドプレスエリア３５から搬出エリア３６に排出される。搬出エリア３６に排出された遊技盤１ではハート１６が遊技盤１と内バンド１２のバンド本体１３との間で挟まれており、ハート１６と内バンド１２とが互いに交差配置になっている。
【００３２】
外バンド挿入エリア３２またはハート・内バンド挿入エリア３４では外バンド挿入装置２４の位置決めピンまたは内バンド挿入装置２９の位置決めピンを遊技盤１の基準孔２に挿入することで、外バンド挿入装置２４と遊技盤１の位置合せまたは内バンド挿入装置２９と遊技盤１の位置合せを行ったのに対し、外バンド挿入エリア３２またはハート・内バンド挿入エリア３４において、遊技盤搬送装置２１の装置本体に位置決めピンを設けておき、当該遊技盤搬送装置２１の位置決めピンを遊技盤リフト４４；４５の上昇に伴い遊技盤１の基準孔２に挿入して遊技盤リフト４４；４５に対して遊技盤１を位置決めした後、外バンド挿入装置２４の位置決めピンまたは内バンド挿入装置２９の位置決めピンを遊技盤搬送装置２１の位置決めピンに嵌め合せることで外バンド挿入装置２４と遊技盤１の位置合せまたは内バンド挿入装置２９と遊技盤１の位置合せを行えば、遊技盤リフト４４；４５の上昇および上昇停止に際しても遊技盤１を適切な位置に保持することができる。図中の矢印Ｘ２は外バンド供給装置２２においてバンドパレット７４の横移動方向を示し、矢印Ｘ３は内バンド供給装置２７におけるバンドパレット７４の横移動方向を示す。
【００３３】
図１では外バンド８の固着具１０の有無を検出する場合について説明したが、外バンド８を内バンド１２、バンド本体９をバンド本体１３、固着具１０を固着具１４、外バンド供給装置２２を内バンド供給装置２７、外バンド成形装置２３を内バンド成形装置２８、外バンド挿入装置２４を内バンド挿入装置２９、外バンド挿入エリア３２をハート・内バンド挿入エリア３４とそれぞれ読み替えることで、内バンド１２の固着具１４の有無を検出することもできる。
【００３４】
図１では固着具検出器５６を二次成形機構５２に設けたので、ステップ１０１で二次成形機構５２が一次成形機構５１より外バンド８を受け取ってからステップ１０２で遊技盤搬送装置２１の側部に移動停止するまでの間において、制御装置５７が固着具検出器５６に固着具有無の検出動作を指示してもよいが、ステップ１０３に示すように、ハンドツール４９が複数の固着具１０の各々を支持した状態において、制御装置５７が固着具検出器５６に固着具有無の検出動作を指示すれば、各々の固着具１０と固着具検出器５６とが適切に対応し、固着具有無の検出精度が高くなる。また、固着具検出器５６が少なくとも１つの固着具１０の無いことを検出したら制御装置５７がその時点でバンド取付動作を停止してもよいが、ステップ１０３について前述したように、外バンド挿入装置２４を上昇して停止すれば、作業者が外バンド挿入装置２４から外バンド８を除去する作業をやりやすくなる。
【図面の簡単な説明】
【図１】一実施形態の要部を示す平面的な模式図。
【図２】同実施形態のハート・バンド取付装置を示す平面的な模式図。
【図３】同実施形態のハート・バンド取付装置を示す正面的な模式図。
【図４】従来例を示す模式図。
【符号の説明】
１　遊技盤
８　外バンド
１２　内バンド
２１　遊技盤搬送装置
２２　外バンド供給装置
２３　外バンド成形装置
２７　内バンド供給装置
２８　内バンド成形装置
５６　固着具検出器
５７　制御装置
【図１】
2004081351.tif 000003
【図２】
2004081351.tif 000004
【図３】
2004081351.tif 000005
【図４】
2004081351.tif 000006